(57)【要約】【課題】ＣＴＰ下版データの管理に伴う手作業（ＣＴＰ下版データの収集、管理情報の付加、ＣＴＰ下版データの管理）の軽減、また、ＣＴＰ下版データの品質保証が容易に行える環境を提供する。【解決手段】  製版工程内のＲＩＰからＣＴＰ下版データを自動収集するＣＴＰ下版データ自動収集手段と、  ＣＴＰ下版データを管理するために必要な情報を取得し、登録する情報登録手段と、  ＣＴＰ下版データを登録された情報をもとに管理するＣＴＰ下版データ管理手段と、  を備えることを特徴とするＣＴＰ下版データ管理システム。【選択図】図１
2007201860.tif 000002
【特許請求の範囲】
【請求項１】
製版工程内のＲＩＰからＣＴＰ下版データを自動収集するＣＴＰ下版データ自動収集手段と、
ＣＴＰ下版データを管理するために必要な情報を取得し、登録する情報登録手段と、
ＣＴＰ下版データを登録された情報をもとに管理するＣＴＰ下版データ管理手段と、
を備えることを特徴とするＣＴＰ下版データ管理システム。
【請求項２】
前記ＣＴＰ下版データ自動収集手段は、製版工程内に複数あるＲＩＰを、前記システムに組み込む手段と、前記システムから外す手段とを備えることを特徴とする請求項１記載のＣＴＰ下版データ管理システム。
【請求項３】
ＣＴＰ下版データを他の出力装置へ転送し、紙媒体の出力物を得るＣＴＰ下版データ出力手段を備えることを特徴とする請求項１又は２記載のＣＴＰ下版データ管理システム。
【請求項４】
前記ＣＴＰ下版データ出力手段は、出力装置の出力最大サイズとＣＴＰ下版データのサイズとを計算し、出力装置での出力可能なサイズにタイリングする手段を備えることを特徴とする請求項３記載のＣＴＰ下版データ管理システム。
【請求項５】
前記ＣＴＰ下版データ出力手段は、ＣＴＰ下版データのサイズを解析し、適切な位置に検版用、品質保証用に必要なマークを付加する手段を備えることを特徴とする請求項３又は４記載のＣＴＰ下版データ管理システム。
【請求項６】
前記ＣＴＰ下版データ出力手段は、複数の出力装置を、前記システムに組み込む手段と、前記システムから外す手段とを備えることを特徴とする請求項３〜５の何れか１項記載のＣＴＰ下版データ管理システム。
【発明の詳細な説明】
【技術分野】
【０００１】
本発明は、印刷物の印刷製造における製版工程において使用するデジタルデータから直接印刷用の版材に出力して刷版するためのＣＴＰ（Ｃｏｍｐｕｔｅｒ  Ｔｏ  Ｐｌａｔｅ）方式によるＣＴＰ下版データの管理、品質保証を支援するＣＴＰ下版データ管理システムに関する。
【背景技術】
【０００２】
従来の製版工程では、中間生成物としてポジフイルムが発生し、検版の対象はそのポジフィルムであり、また製版工程内に於いてはそのポジフィルムが最終生成物として製版工程内で管理されている。しかし、中間生成物としてポジフィルムが発生しない、デジタルデータから直接印刷用の版材に出力して刷版するＣＴＰ方式の製版工程ではＣＴＰ下版データが製版工程内の最終生成物となり、ＣＴＰ下版データの管理の手段、製版工程内の品質保証の手段、に対して問題が起こる。
【０００３】
製版工程内での品質保証では、ＣＴＰ下版データ上で検版を行うことは難しく、また、従来のポジフィルム上で検版を行っていた作業者の技術を活かしづらい。
【０００４】
また、製版工程内にはＣＴＰ下版データを作成する複数のＲＩＰ（ラスタライズイメージプロセッサ）があり、それらが作成したＣＴＰ下版データを手作業で収集し管理することが考えられる。しかし手作業で行うには煩雑な作業が多く、ＣＴＰ下版データの収集ミス、管理漏れ、上書きによる必要なＣＴＰ下版データの消失など人的なミスが発生する可能性が伴い、ＣＴＰ下版データの保証を行うには不安要素が多い。
【０００５】
従来の印刷データ管理手段では、製版工程内にある印刷物の制作データ、部材データを管理する（例えば特許文献１を参照）。しかしながら、これらの技術では製版工程手内で印刷物の制作を行うには好適であるが、管理対象は印刷データを制作する際の部材データであり、最終生成物となるＣＴＰデータは管理対象ではなく、品質保証を行うための検版作業の支援を行うためにＣＴＰデータを加工することが出来ない。また、これらの技術内で、ＣＴＰ下版データを部材データとして管理するには作業が煩雑である。
【特許文献１】特開平５−３５４２５
【発明の開示】
【発明が解決しようとする課題】
【０００６】
本発明は斯かる背景技術を鑑みてなされたもので、ＣＴＰ下版データの管理に伴う手作業（ＣＴＰ下版データの収集、管理情報の付加、ＣＴＰ下版データの管理）の軽減、また、ＣＴＰ下版データの品質保証が容易に行える環境を提供することを課題とする。
【課題を解決するための手段】
【０００７】
本発明において上記課題を達成するために、まず請求項１の発明では、製版工程内のＲＩＰからＣＴＰ下版データを自動収集するＣＴＰ下版データ自動収集手段と、
ＣＴＰ下版データを管理するために必要な情報を取得し、登録する情報登録手段と、
ＣＴＰ下版データを登録された情報をもとに管理するＣＴＰ下版データ管理手段と、
を備えることを特徴とするＣＴＰ下版データ管理システムとしたものである。
【０００８】
また請求項２の発明では、前記ＣＴＰ下版データ自動収集手段は、製版工程内に複数あるＲＩＰを、前記システムに組み込む手段と、前記システムから外す手段とを備えること
を特徴とする請求項１記載のＣＴＰ下版データ管理システムとしたものである。
【０００９】
また請求項３の発明では、ＣＴＰ下版データを他の出力装置へ転送し、紙媒体の出力物を得るＣＴＰ下版データ出力手段を備えることを特徴とする請求項１又は２記載のＣＴＰ下版データ管理システムとしたものである。
【００１０】
また請求項４の発明では、前記ＣＴＰ下版データ出力手段は、出力装置の出力最大サイズとＣＴＰ下版データのサイズとを計算し、出力装置での出力可能なサイズにタイリングする手段を備えることを特徴とする請求項３記載のＣＴＰ下版データ管理システムとしたものである。
【００１１】
また請求項５の発明では、前記ＣＴＰ下版データ出力手段は、ＣＴＰ下版データのサイズを解析し、適切な位置に検版用、品質保証用に必要なマークを付加する手段を備えることを特徴とする請求項３又は４記載のＣＴＰ下版データ管理システムとしたものである。
【００１２】
また請求項６の発明では、前記ＣＴＰ下版データ出力手段は、複数の出力装置を、前記システムに組み込む手段と、前記システムから外す手段とを備えることを特徴とする請求項３〜５の何れか１項記載のＣＴＰ下版データ管理システムとしたものである。
【発明の効果】
【００１３】
請求項１の発明によれば、製版工程内のＲＩＰ（ラスタライズイメージプロセッサ）からＣＴＰ下版データを自動収集するＣＴＰ下版データ自動収集手段によって、手作業による収集でおこる上書き、収集漏れ、ＣＴＰ下版データの破損などの人的ミスを無くすことができる。
【００１４】
また、ＣＴＰ下版データを管理するために必要な情報を取得し、登録する情報登録手段によって、管理情報からＣＴＰ下版データの品種、用途を判断することが可能となりる。
【００１５】
また、ＣＴＰ下版データを登録された情報をもとに管理するＣＴＰ下版データ管理手段によって、必要なＣＴＰ下版データに容易にアクセスする手段を提供することで作業者は容易に必要なＣＴＰ下版データを取得することができる。
【００１６】
請求項２の発明によれば、製版工程内に複数あるＲＩＰをシステムに組み込む手段と、このシステムから外す手段とを備えることによって、製版工程での作業量増加に伴うＲＩＰの増設、ＲＩＰの障害時にシステムから外したい場合などに柔軟な対応をすることが可能となる。
【００１７】
請求項３の発明によれば、ＣＴＰ下版データを他の出力装置へ転送し、紙媒体の出力物を得るＣＴＰ下版データ出力手段によって、作業者は紙媒体上での検版が可能となり、ポジフィルム上で行っていた検版と同じように検版を行うことができる。
【００１８】
請求項４の発明によれば、出力装置の出力最大サイズとＣＴＰ下版データのサイズを計算し、出力装置での出力可能なサイズへにタイリングする手段を備えることによって、ＣＴＰ下版データが紙媒体へ出力された際の出力物の視認性が向上し、作業者が検版を行う際の作業性が向上する。
【００１９】
請求項５の発明によれば、ＣＴＰ下版データのサイズを解析し、適切な位置に検版用、品質保証用に必要なマークを付加する手段を備えることによって、作業者の検版作業の補助を行い、検版用の補助線を引く、色の確認などの人的負荷を軽減することが可能となる。
【００２０】
請求項６の発明によれば、複数の出力装置をシステムに組み込む手段と、システムから外す手段とを備えることによって、製版工程での作業量増加に伴う出力装置の増設、出力装置の障害時にシステムから外したい場合などに柔軟な対応をすることが可能となる。
【発明を実施するための最良の形態】
【００２１】
以下に、図面を参照し本発明の最良の一実施形態を説明する。尚、この説明では、ＣＴＰ下版データを、ＣＴＰデータと略称することもある。
【００２２】
図１は、本発明のＣＴＰ下版データ管理システムの構成例を示すブロック図である。クライアント１０、ＲＩＰ２０、情報管理システム４０、ＣＴＰデータ管理装置５０、データベース７０、出力装置８０はＬＡＮを示す３０によって相互に接続されている。クライアント１０、ＲＩＰ２０、出力装置８０は複数台ＬＡＮに接続されていることを示す。また、ＲＡＩＤ６０はＣＴＰデータ管理装置５０に付属する記憶装置である。
【００２３】
次にハードウェア構成について記す。クライアント１０、ＣＴＰ下版データ管理装置５０、データベース７０はパーソナルコンピュータを用いて種々の手段を実装している。ＲＩＰ２０、情報管理システム４０は商用サーバで構築されている。出力装置８０は商用サーバと、紙媒体の出力物を出力するプリンタから構成されている。
【００２４】
次にソフトウェア構成について記す。クライアント１０は、ＯＳ（オペレーティングシステム）、ＣＴＰ下版データ管理手段を実現するためのＣＴＰ下版データ管理クライアントプログラム、ＣＴＰ下版データ出力手段を実現するためのＣＴＰ下版データ出力クライアントプログラムから構成されている。情報管理システム４０は、管理情報を管理するプログラム、ＣＴＰ下版データ管理装置５０が管理情報を取得するためのプログラムから構成される。ＣＴＰ下版データ管理装置５０は、ＯＳ、ＣＴＰ下版データ自動収集手段を実現するＣＴＰ下版データ自動収集プログラム、情報登録手段を実現する情報登録プログラム、ＣＴＰ下版データ管理手段を実現するためのＣＴＰ下版データ管理サーバプログラム、ＣＴＰ下版データ出力手段を実現するためのＣＴＰ下版データ出力サーバプログラムから構成されている。データベース６０は、ＯＳ、ＲＤＢＭＳ（Ｒｅｌａｔｉｏｎａｌ  ＤａｔａＢａｓｅ  Ｍａｎａｇｅｍｅｎｔ  Ｓｙｓｔｅｍ）、管理情報を保存するために品目情報を管理する品目情報管理テーブル、折情報を管理する折情報管理テーブル、ＣＴＰ下版データを管理する所在管理テーブルから構成されている。１品目が１つの書籍や雑誌を示し、折はその品目の構成要素であり、ＣＴＰ下版データ複数が集まり折が構成される。ＲＩＰ２０は、ＣＴＰ下版データを作成するプログラムから構成される。出力装置８０は、ＣＴＰ下版データを画像化するプログラム、画像を紙へ印字するためにプリンタを制御するプログラムから構成される。
【００２５】
次に操作説明を記す。まず作業者はＲＩＰ２０を使って印刷物の制作データから製版工程内の最終生成物であるＣＴＰ下版データを作成する。このとき作業者はＣＴＰ下版データを作成する制作データの名前に管理情報のキーとなる情報を埋め込む。埋め込まれた情報はＣＴＰ下版データの名前にもそのまま含まれる。
【００２６】
次にＣＴＰ下版データ自動収集プログラムによる処理の流れを図２のフローチャートに従って説明する。ＣＴＰ下版データ自動収集プログラムはＣＴＰ下版データ管理装置内で起動され、複数のＲＩＰ上のＣＴＰ下版データが作成される場所を常に監視する（Ｓ２０１）。ここで、監視する複数のＲＩＰはＣＴＰ下版データ管理装置内で設定されており、容易にシステムへの組み込みあるいはシステムから外すことが可能である。監視場所にＣＴＰ下版データが作成されたことを検知すると（Ｓ２０２のＹＥＳ）、ＣＴＰ下版データの取得を行う（Ｓ２０４）。ＣＴＰ下版データ自動収集プログラムはＣＴＰ下版データ管
理装置に付属する記憶媒体であるＲＡＩＤへＣＴＰ下版データを複製する（Ｓ２０５）。このとき、ＣＴＰ下版データは同一のものがＲＩＰ上とＲＡＩＤ上にそれぞれ存在する。ＣＴＰ下版データの複製が終わると、ＣＴＰ下版データ自動収集プログラムはＲＩＰ上とＲＡＩＤ上の同一のＣＴＰ下版データを比較し、ＲＡＩＤ上のＣＴＰ下版データに破損等がないか確認する（Ｓ２０６）。なんらかの理由により、ＣＴＰ下版データに破損が認められた場合（Ｓ２０６のＮＯ）は再度ＣＴＰ下版データの複製の処理へ戻る。ＣＴＰ下版データが正常に複製されると（Ｓ２０６のＹＥＳ）ＲＩＰ上のＣＴＰ下版データの削除を行い（Ｓ２０７）、ＣＴＰ下版データに関連する管理情報を登録するために情報登録プログラムを実行する（Ｓ２０８）。
【００２７】
情報登録プログラムはＣＴＰ下版データ自動収集プログラムより起動される。次に情報登録プログラムによりなされる処理の流れを図３のフォローチャートに従って説明する。情報登録プログラムはまず、ＣＴＰ下版データが保存されているＲＡＩＤ上の場所を所在管理テーブルに登録する（Ｓ３０１）。所在管理テーブルにはＣＴＰ下版データ保存されているＲＡＩＤ上の場所と関連する品目情報、折情報のキーとなる情報が管理されている。次に、ＣＴＰ下版データの名前に含まれる管理情報のキーを使用し、情報管理システムから品目情報、折情報を取得し（Ｓ３０２、Ｓ３０４）、それぞれ品目情報管理テーブル、折情報管理テーブルへ登録する（Ｓ３０３、Ｓ３０５）。品目情報では、品名、得意先名、本のサイズなどの品目に関する基本的な情報が管理されている。また、折情報では色数、単ページのサイズ、線数など製造設計に関する情報が管理されている。
【００２８】
ＣＴＰ下版データ管理クライアントプログラムはクライアント上で起動し、ＣＴＰ下版データ管理サーバプログラムと通信することで、ＣＴＰ下版データの表示、検索とＣＴＰ下版データに付随する管理情報の表示のＣＴＰ下版データ管理手段を提供する。作業者は主にこのＣＴＰ下版データ管理クライアントプログラムを操作することで、ＣＴＰ下版データ管理システムで管理されているＣＴＰ下版データにアクセスすることが可能となる。図４はＣＴＰ下版データ管理クライアントプログラムの画面である。まず、作業者はＣＴＰ下版データ管理プログラムとデータベースで管理されている品目情報の一覧（Ｈ４０５）から品目を選択する。ここで、ＣＴＰ下版データ管理システムで管理されている品目情報が増加すると作業者が必要なＣＴＰ下版データにアクセスするのが困難になる恐れがある。そこで、品目情報の一覧（Ｈ４０５）はＣＴＰ下版データ管理クライアントプログラムの上部にあるプルダウンメニュー（Ｐ４０１）、テキスト入力エリア（Ｔ４０２）、プルダウンメニュー（Ｐ４０３）、検索ボタン（Ｂ４０４）を使うことで品目情報の絞込みが行える。品目情報の一覧（Ｈ４０５）から品目情報が選択されると、ＣＴＰ下版データ管理クライアントプログラムでは、品目情報の詳細（Ｈ４０６）とその品目を構成する折の情報とそれら折を構成するＣＴＰ下版データの一覧（Ｈ４０８）を表示する。折情報、ＣＴＰ下版データの一覧（Ｈ４０８）では折をフォルダとして表示し、その折を構成するＣＴＰ下版データをその折フォルダに含まれるファイルとして表示する。また、折情報、ＣＴＰ下版データの一覧で（Ｈ４０８）で折またはＣＴＰ下版データを選択するとその折情報の詳細（Ｈ４０７）を表示する。また、ＣＴＰ下版データはＣＴＰ下版データ管理クライアントプログラムの折情報、ＣＴＰ下版データの一覧（Ｈ４０８）から選択してドラッグアンドドロップにて容易にダウンロード可能で、製版工程の次工程などに他のファイルサーバあるいはＭＯ、ＣＤ−Ｒなどの記憶媒体を使って渡すことが容易に実行可能である。ＣＴＰ下版データ管理クライアントプログラム上でＣＴＰ下版データを選択しプリントボタン（Ｂ４０９）を押下することでＣＴＰ下版データ出力クライアントプログラムを呼び出し、ＣＴＰ下版データを紙媒体で出力することが可能である。
【００２９】
図６はＣＴＰ下版データの内容の例を示す。ＣＴＰ下版データは雑誌、書籍の１Ｐであり、ＣＴＰ下版データは雑誌、書籍のサイズより一回りほど大きく作られている。図６の周囲の点線部分はＣＴＰ下版データの境界で、実際は透明であり人の目では認識はできな
い。そのため、紙媒体の出力装置からＣＴＰ下版データをそのまま出力するとＣＴＰ下版データの境界を判断することが出来ず、検版作業をすることは出来ない。図７は本発明で得られる紙媒体の出力物の例である。Ｔ７０１はＣＴＰ下版データの名前であり、この出力物がどのＣＴＰ下版データを元に出力されたかを示す。Ｔ７０２にはＣＴＰ下版データに付随する管理情報、作業者が入力した特記事項が印字される。Ｃ７０３はカラーチャートが印字されており、出力装置がＤＤＣＰなどの色の品質保証を行える装置であればこのカラーチャートを作業者が計測し、色の品質保証を行うことが可能となる。Ｌ７０４の実線とゲージはＣＴＰ下版データの境界である枠線と作業者が検版作業を行う際に補助線を引くことを支援するゲージである。Ｌ７０５の点線は雑誌、書籍になった際の仕上がりサイズを示し、仕上がりサイズの外に必要な部材が配置されていないか、あるいは、仕上がりサイズの内に余計な部材が配置されていないか、を作業者が確認することが出来る。
【００３０】
ＣＴＰ下版データ出力クライアントプログラムはＣＴＰ下版データ管理クライアントプログラムから呼び出され、クライアント上で起動する。ＣＴＰ下版データ出力クライアントプログラムはＣＴＰ下版データ管理装置上のＣＴＰ下版データ出力サーバプログラムへ、特定の出力装置から図７のような出力物を得るために、ＣＴＰ下版データの出力を要求するプログラムである。次にＣＴＰ下版データ出力クライアントプログラムによりなされる処理の流れを図８の（Ｓ８−１）に示すフローチャートに従って説明する。ＣＴＰ下版データ出力クライアントプログラムはＣＴＰデータ管理装置内で管理されている出力装置の情報とその出力装置の設定の情報を取得する（Ｓ８０１，Ｓ８０２）。図５はＣＴＰ下版データ出力クライアントプログラムの画面である。Ｈ５０１にはＣＴＰ下版データ管理クライアント上で作業者が選択した出力を行うＣＴＰ下版データのリストで、Ｐ５０２、Ｐ５０３のプルダウンメニューが出力装置の情報とその出力装置の設定の情報である。作業者はＰ５０２、Ｐ５０３のプルダウンメニューから出力先となる出力装置とその設定を選択する。作業者は出力先以外にも、部数、ＣＴＰ下版データの境界が判断できる枠線と検版する際に補助線を引くことを支援するゲージの有無、ＣＴＰ下版データ内の仕上がりサイズを判断するための仕上がり線の有無、紙媒体の色の品質保証を行うカラーチャートの有無、特記事項として紙媒体に印字する内容を設定し（Ｓ８０３）、プリントボタン（Ｂ５０５）を押下する（Ｓ８０４のＹＥＳ）ことでＣＴＰ下版データ出力サーバプログラムにＣＴＰ下版データの出力を行う要求を出す（Ｓ８０５）。ここでキャンセルボタン（Ｂ５０４）を押下する（Ｓ８０４のＮＯ）とＣＴＰデータ出力クライアントプログラムは何もせずに終了する（終了）。
【００３１】
ＣＴＰ下版データ出力サーバプログラムではＣＴＰ下版データ管理装置内で起動するプログラムであり、ＣＴＰ下版データ出力クライアントプログラムの要求を逐次処理していく。次にＣＴＰ下版データ出力サーバプログラムでなされる処理の流れを図８の（Ｓ８−２）に示すフローチャートに従って説明する。出力するＣＴＰ下版データの有無を確認し（Ｓ８１１）、出力するＣＴＰ下版データが有れば（Ｓ８１１のＹＥＳ）、ＣＴＰ下版データの加工、転送の順で処理を行う。まず、ＣＴＰ下版データの加工を行うためにＣＴＰ下版データのサイズの解析（Ｓ８１２）とクライアントから要求のあった出力装置とその出力装置の設定での出力最大サイズを取得する（Ｓ８１３）。また、ＣＴＰ下版データの出力物に管理情報を印字するためにデータベースからＣＴＰ下版データに付随する管理情報の取得をおこなう（Ｓ８１４）。ＣＴＰ下版データの加工では（Ｓ８１４）、ＣＴＰデータのサイズ、出力装置とその設定の出力最大サイズ、ＣＴＰ下版データに付随する管理情報と作業者が設定した諸々の設定を元に加工を行い、図７のような出力物を表すデータを作成する。この作成では、ＣＴＰ下版データのサイズと管理情報の一部である製造設計情報を用いて計算し、図７のＣＴＰ下版データの境界である枠線と検版する際に補助線を引くことを支援するゲージ（Ｌ７０４）と書籍になった際の仕上がりサイズを示す点線（Ｌ７０５）を描く。また、出力装置と出力装置の設定の出力最大サイズとＣＴＰ下版データサイズから、タイリング処理を行い、ＣＴＰ下版データが紙媒体への出力後に紙面の中
央に来るように配置する。また、ＣＴＰ下版データの名称、管理情報、作業者が入力した特記事項は出力後の紙面の最上部になるよう計算し、印字する。ＣＴＰ下版データ加工後、出力装置へ加工したＣＴＰ下版データを転送する（Ｓ８１５）。その後、加工されたＣＴＰ下版データは出力装置内で画像化され、紙媒体へ印字され、作業者は紙媒体のＣＴＰ下版データの出力物を得ることが出来る。その出力物を用いて、ポジフィルムと同じように作業者は検版作業を行い、ＣＴＰ下版データの内容の品質保証を行うことが可能となる。
【図面の簡単な説明】
【００３２】
【図１】本発明のＣＴＰ下版データ管理システムの全体構成を示すブロック図。
【図２】ＣＴＰ下版データ自動収集プログラムによる処理の流れを示すフローチャート。
【図３】情報登録プログラムによりなされる処理の流れを示すフローチャート。
【図４】ＣＴＰ下版データ管理クライアントプログラムの画面の構成例を示す図。
【図５】ＣＴＰ下版データ出力クライアントプログラムの画面の構成例を示す図。
【図６】ＣＴＰ下版データの内容の例を示す図。
【図７】本発明で得られる紙媒体の出力物の例を示す図である。
【図８】（Ｓ８−１）、（Ｓ８−２）は、それぞれ、ＣＴＰ下版データ出力クライアント、サーバプログラムでなされる処理の流れを示すフローチャート。
【符号の説明】
【００３３】
１０…クライアント
２０…ラスタライズイメージプロセッサ（ＲＩＰ）
３０…ローカルエリアネットワーク（ＬＡＮ）
４０…情報管理システム
５０…ＣＴＰデータ管理装置
６０…ＲＡＩＤ
７０…データベース
８０…出力装置
【図１】
2007201860.tif 000003
【図２】
2007201860.tif 000004
【図３】
2007201860.tif 000005
【図４】
2007201860.tif 000006
【図５】
2007201860.tif 000007
【図６】
2007201860.tif 000008
【図７】
2007201860.tif 000009
【図８】
2007201860.tif 000010